(57)【要約】【課題】地震発生時、家屋の倒壊、天井落下、家具横転等の下敷きになり、貴い命を失う人が後を絶ちません．少しでも人命が助かるよう、安眠ができるよう如何にすべきか【解決手段】普段（１２）丸パイプは外してあり就寝時（１０）Ｕ字口に（１２）丸パイプを通し開口部を有するＵ字口（１１）にストッパー（１３）を通して身体防護空間を形成する【選択図】図６
2004305656.tif 000002
【特許請求の範囲】
【請求項１】
適宜の強度を持つ素材例えばＳＵＳ３０４角パイプ▲１▼５０ｍｍ×３０ｍｍ、１，０００ｍｍ−２本、２，０００ｍｍ−２本を用意し、３０ｍｍを横面に、５０ｍｍを縦面として１，０００ｍｍの片端に９０°に溶接またはボルト締めして２，０００ｍｍを固定、四角の枠を形成し四隅に３０ｍｍを横面に縦に内径２０φ＋×５０ｍｍのパイプを穿設し、２０φ−の外径を有する▲２▼パイプＵを立て、▲３▼パイプ横を適宜、溶接又はボルト締めする。その中に寝具▲５▼を敷き▲４▼の様に就寝する。地震発生等により、家屋の倒壊等で▲６▼の様な落下物があったとしても▲４▼の人体に直接落下することなく、空間を保って生命を護ってくれる人命防護具
【発明の詳細な説明】
【０００１】
【産業上の利用分野】
本発明は強度地震発生、家屋倒壊等の時就寝中の人を護る人命防護具に関するものである．
【０００２】
【従来の技術】
従来かかる防護具すら無く多数の不幸が発生している．
【０００３】
【発明が解決しようとする課題】
就寝時地震等による家屋倒壊等落下物の下敷きになり落命する人が多数出ております．かかる不幸をなくし、その不安を解消、安眠できる様にする為のものである．
【０００４】
【目的】
本発明は就寝時地震等による家屋倒壊等落下物から人命を護り、安眠できる状態を作ることを目的としている．
【０００５】
【課題を解決する為の手段】
本発明は落下物から人命を護る為本発明品の中に就寝課題を解決している．
【０００６】
【作用】
防護具本体の中に就寝、熟睡中であっても万一地震発生、家屋倒壊、家具横転等落下物が発生しても心配することなく安心である。
【０００７】
【実施例１】
以下、添付図面に従って一実施例を説明する
▲１▼の角パイプで形成された四隅に▲２▼のパイプＵを挿入し▲３▼パイプ横で固定し、落下物▲６▼が人体▲４▼に直接落下することのなき様にしている。
【０００８】
【発明の効果】
本発明の実施例は上述の如き構成のものであるから、防護具本体が強度の地震発生、家屋の倒壊等落下物が発生しても人体に直接落下することなく防護している。
【図面の簡単な説明】
【図１】正面図
【図２】側面図
【図３】平面図
【符号の説明】
１，角パイプ
２，縦パイプ
３，横パイプ
４，人体
５，ふとん
６，落下物
【図１】
2004305656.tif 000003
【図２】
2004305656.tif 000004
【図３】
2004305656.tif 000005
【手続補正書】
【提出日】平成15年5月2日(2003.5.2)
【手続補正１】
【補正対象書類名】明細書
【補正対象項目名】全文
【補正方法】変更
【補正の内容】
【特許請求の範囲】
【請求項１】
添付図１の基礎骨（１）の両端に（２）幅決め角パイプを固定、片側に２ヶ所（９）高さ決めパイプがぐらつかないよう（８）丸パイプを穿設し（９）を挿入、天板（１５）に蝶番（１６）の片方を固定し（１８）身体保護パイプを蝶番（１６）の片方に固定して天板（１５）以下には下げられないようにし、（１８）身体保護パイプを（１９）水平にして就寝者保護．起きている時は（１８）のように垂直にできるようにした人命防護具
【請求項２】
添付図２の（１０）Ｕ字口に丸パイプ（１２）を挿入、片方の（１１）開口部を有するＵ字口に（１３）を通す、それを複数設けた人命防護具
【請求項３】
添付図７の（３６）を（３３）の状態に回転し（３０）のラチエットストッパーで固定する．（３６）を複数設けた人命防護具
【請求項４】
添付図１１の（５３）開口部を有するＵ字口を４ヶ所設け（５４）人命防護枠を着脱する人命防護具
【発明の詳細な説明】
【０００１】
【産業上の利用分野】
本発明は強度地震発生、家屋倒壊等の時就寝中の人を護る人命防護具に関するものである．
【０００２】
【従来の技術】
従来かかる防護具すら無く多数の不幸が発生している．
【０００３】
【発明が解決しようとする課題】
就寝時地震等による家屋倒壊等落下物の下敷きになり落命する人が多数出ております．かかる不幸をなくし、その不安を解消、安眠できる様にする為のものである．
【０００４】
【目的】
本発明は就寝時地震等による家屋倒壊等落下物から人命を護り、安眠できる状態を作ることを目的としている．
【０００５】
【課題を解決する為の手段】
本発明は落下物から人命を護る為本発明品の中に就寝課題を解決している．
【０００６】
【作用】
防護具本体の中に就寝、熟睡中であっても万一地震発生、家屋倒壊、家具横転等落下物が発生しても心配することなく安心である。
【０００７】
【実施例１】
以下、添付図１にしたがって一実施例を説明する．
適宜の強度を持つ素材例えばＳＵＳ３０４角パイプ（１）５０ｍｍ×５０ｍｍ、１０００ｍｍ−２本を蝶番（２）で継ぎその両端に（４）の角パイプを適宜の長さ用意し溶接又はボルト締めして固定、各々２ヶ所（９）の丸パイプ外径よりプラスの内径を有する（８）丸パイプを穿設し、（９）を挿入する．その上部に平板（１５）を固定し、蝶番（１６）を固定．（１５）の背面にあわせて（１８）を蝶番（１６）で上げ下げできるようにする．（１８）を（１９）のように倒した時（１５）の上面と平行にしか（１８）は下げることができない．たとえ落下物があっても直接人体に触れることなく安心して熟睡できる．（２１）高さ調整マットは（１）ベースａの段差を解消、その上に敷き布団を敷き睡眠する．このように普段、人命防護パイプは立てておき立居振舞は自由にでき、睡眠する時は（１９）のように身体に被さるようにして使用する人命防護具
【実施例２】
添付図２にしたがって一実施例を説明する．
（１）（４）で形作られたベースに（８）振れ止めパイプを穿設（９）のＵ字パイプを挿入、その上部に設けられた（１０）に（１２）を通し（１１）開口部を有するＵ字口に（１３）を通した（１２）を複数設けた人命防護具
【実施例３】
添付図７にしたがって一実施例を説明する．
（２７）ベースｅ上に（２８）高さ決め上げ下げ機構を左右に作り（３６）人命防護棒を（３４）（３５）の中間に設け回転できるようにし、（３４）から（３５）、（３５）から（３４）に橋渡しできるようにし各々反対側に（３７）（３８）（３９）のラチエットストッパーを設ることを特徴とする人命防護具
【実施例４】
添付図１１にしたがって一実施例を説明する．
2004305656.tif 000006
開口部を有するＵ字口を取り付け４ヶ所に配置する（５４）人命防護枠を就寝時（５３）に取り付ける
【０００８】
【発明の効果】
本発明の実施例は上述の如き構成のものであるから、防護具本体が強度の地震発生、家屋の倒壊等落下物が発生しても人体に直接落下することなく防護している．
【図面の簡単な説明】
【図１】立体図（オープンタイプ、ハネ上げ型）
【図２】立体図（オープンタイプ  差込型）
【図５】立体図（オープンタイプ  簡易型）
【図６】立体図（オープンタイプ  簡易ＩＩ型）
【図７】立体図（上下回転型）
【図１１】立体図（オープンタイプ、着脱型）
【図３】図２の部分組図（１１）（１３）関係
ａ 側面図
ｂ 正面図
【図４】図２の部分組図（１０）（１２）関係
ｃ 側面図
ｄ 正面図
【図８】図７の部分組図  ラチエット部正面図
【図９】図７の部分組図  ラチエット部側面図
【図１０】図７の人命防護棒（３６）回転部正面図
【符号の説明】
（１）    角パイプ （ベースａ）
（２）    蝶番
（３）    ビス
（４）    角パイプ （ベースａ）
（５）    平板
（６）    ボルト
（７）    溶接
（８）    丸パイプ （振れ止め）
（９）    丸パイプ （高さ決めａ）
（１０）  丸棒 （Ｕ字口）
（１１）  丸棒 （開口Ｕ字口）
（１２）  丸パイプ （人命防護棒ａ）
（１３）  丸棒 （ストッパーａ）
（１４）  帆布 （防塵ａ）
（１５）  平板 （（９）の天板）
（１６）  蝶番 （（１８））
（１７）  アングル （ベースｂ）
（１８）  丸パイプ （人命防護枠ａ垂直）
（１９）  丸パイプ （人命防護枠ａ水平）
（２０）  帆布 （防塵ｂ）
（２１）  マット （段差調整）
（２２）  丸棒 （ストッパーｂ）
（２３）  ／   （開口部）
（２４）  成型品 （プラスチック中栓）
（２５）  平板 （継ぎ板）
（２６）  平板 （ベースｃ）
（２７）  角パイプ （ベースｄ）
（２８）  丸パイプ （高さ決めｂ）
（２９）  角パイプ （ベースｄ）
（３０）  加工品 （ラチエットストッパー）
（３１）  加工品 （回転羽根ａ）
（３２）  平板 （ストッパー）
（３３）  丸パイプ （人命防護棒ｂ回転状態）
（３４）  丸パイプ （上下）（下）
（３５）  丸パイプ （上下）（上）
（３６）  丸パイプ （人命防護棒ｂ収納状態）
（３７）  加工品 （回転羽根ｂ）
（３８）  加工品 （ラチエット）
（３９）  丸棒 （ラチエットストッパー）
（４０）  加工品 （ラチエット外し）
（４１）  手     （ラチエット外しを押す）
（４２）  平板 （ラチエット取り付け）
（４３）  ボルト （ラチエット取り付け）
（４４）  成型物 （プラスチック中栓）
（４５）  丸棒 （（３６）回転軸）
（４６）  加工品 （ベアリングケース）
（４７）  ベアリング
（４８）  人 （就寝中）
（４９）  平板 （ベースｅ）
（５０）  丸パイプ （高さ決めｃ）
（５１）  平板 （（５０）取り付け）
（５２）  ボルト
（５３）  丸棒 （開口Ｕ字口）
（５４）  丸パイプ （人命防護枠ｂ）
【手続補正２】
【補正対象書類名】図面
【補正対象項目名】全図
【補正方法】変更
【補正の内容】
【図１】
2004305656.tif 000007
【図２】
2004305656.tif 000008
【図３】
2004305656.tif 000009
【図４】
2004305656.tif 000010
【図５】
2004305656.tif 000011
【図６】
2004305656.tif 000012
【図７】
2004305656.tif 000013
【図８】
2004305656.tif 000014
【図９】
2004305656.tif 000015
【図１０】
2004305656.tif 000016
【図１１】
2004305656.tif 000017
【手続補正書】
【提出日】平成15年10月27日(2003.10.27)
【手続補正１】
【補正対象書類名】明細書
【補正対象項目名】全文
【補正方法】変更
【補正の内容】
【特許請求の範囲】
【請求項１】添付図１の基礎骨（１）の両端に（２）幅決め角パイプを固定、片側に２ヶ所（９）高さ決めパイプがぐらつかないよう（８）丸パイプを穿設し（９）を挿入、天板（１５）に蝶番（１６）の片方を固定し（１８）身体保護パイプを蝶番（１６）の片方に固定して天板（１５）以下には下げられないようにし、（１８）身体保護パイプを（１９）水平にして就寝者保護．起きている時は（１８）のように垂直にできるようにした人命防護具
【請求項２】添付図２の（１０）Ｕ字口に丸パイプ（１２）を挿入、片方の（１１）開口部を有するＵ字口に（１３）を通す、それを複数設けた人命防護具
【請求項３】添付図７の（３６）を（３３）の状態に回転し（３０）のラチエットストッパーで固定する．（３６）を複数設けた人命防護具
【請求項４】添付図１１の（５３）開口部を有するＵ字口を４ヶ所設け（５４）人命防護枠を着脱する人命防護具
【請求項５】ＴＶから流れてくる公共機関が出す警報の周波数をキャッチしてモーターａ（５７）を作動し、（６１）（６２）の上げ下げ用の棒を立ち上げる人命防護具
【発明の詳細な説明】
【０００１】
【産業上の利用分野】
本発明は強度地震発生、家屋倒壊等の時就寝中の人を護る人命防護具に関するものである．【０００２】
【従来の技術】
従来かかる防護具すら無く多数の不幸が発生している．
【０００３】
【発明が解決しようとする課題】
就寝時地震等による家屋倒壊等落下物の下敷きになり落命する人が多数出ております．かかる不幸をなくし、その不安を解消、安眠できる様にする為のものである．
【０００４】
【目的】
本発明は就寝時地震等による家屋倒壊等落下物から人命を護り、安眠できる状態を作ることを目的としている．
【０００５】
【課題を解決する為の手段】
本発明は落下物から人命を護る為本発明品の中に就寝課題を解決している．
【０００６】
【作用】
防護具本体の中に就寝、熟睡中であっても万一地震発生、家屋倒壊、家具横転等落下物が発生しても心配することなく安心である。
【０００７】
【実施例１】
以下、添付図１にしたがって一実施例を説明する．
適宜の強度を持つ素材例えばＳＵＳ３０４角パイプ（１）５０ｍｍ×５０ｍｍ、１０００ｍｍ−２本を蝶番で継ぎその両端に（２）の角パイプを適宜の長さ用意し溶接又はボルト締めして固定、各々２ヶ所（９）の丸パイプ外径よりプラスの内径を有する（８）丸パイプを穿設し、（９）を挿入する．その上部に平板（１５）を固定し、蝶番（１６）を固定．（１５）の背面にあわせて（１８）を蝶番（１６）で上げ下げできるようにする．（１８）を（１９）のように倒した時（１５）の上面と平行にしか（１８）は下げることができない．たとえ落下物があっても直接人体に触れることなく安心して熟睡できる．（２１）高さ調整マットは（１）ベースａの段差を解消、その上に敷き布団を敷き睡眠する．このように普段、人命防護パイプは立てておき立居振舞は自由にでき、睡眠する時は（１９）のように身体に被さるようにして使用する人命防護具
【実施例２】
添付図２にしたがって一実施例を説明する．
（１）（４）で形作られたベースに（８）振れ止めパイプを穿設（９）のＵ字パイプを挿入、その上部に設けられた（１０）に（１２）を通し（１１）開口部を有するＵ字口に（１３）を通した（１２）を複数設けた人命防護具
【実施例３】
添付図７にしたがって一実施例を説明する．
（２７）ベースａ上に（２８）高さ決め上げ下げ機構を左右に作り（３６）人命防護棒を（３４）（３５）の中間に設け回転できるようにし、（３４）から（３５）、（３５）から（３４）に橋渡しできるようにし各々反対側に（３７）（３８）（３９）のラチエットストッパーを設けることを特徴とする人命防護具
【実施例４】
添付図１１にしたがって一実施例を説明する．
（４９）ベース板ｂに（５２）ボルトで（５０）を取り付けその上部に（５３）開口部を有するＵ字口を取り付け４ヶ所に配置する（５４）人命防護枠を就寝時（５３）に取り付ける
【実施例５】
添付図１２にしたがって一実施例を説明する．
普段は図ｅの状態で就寝する．公共電波を通じ各家庭のＴＶに地震予知連絡協議会による地震警報が流れた時、その周波数をキャッチし、モーターａ（５７）が作動し倒してある人命防護具を立ち上げる．又、モーターｂ（６５）が作動して倒れ止めを掛け、モーターｃ（６７）が作動して（５８）の人命防護棒が（６７）のモーターｃの作動により防護態勢に入る、と自動的にラチエットストッパーが掛かる装置
【０００８】
【発明の効果】
本発明の実施例は上述の如き構成のものであるから、防護具本体が強度の地震発生、家屋の倒壊等落下物が発生しても人体に直接落下することなく防護している．
【図面の簡単な説明】
【図１】立体図（オープンタイプ、ハネ上げ型）
【図２】立体図（オープンタイプ  差込型）
【図３】図２の部分組図（１１）（１３）関係
ａ  側面図
ｂ  正面図
【図４】図２の部分組図（１０）（１２）関係
ｃ  側面図
ｄ  正面図
【図５】立体図（オープンタイプ  簡易型）
【図６】立体図（オープンタイプ  簡易ＩＩ型）
【図７】立体図（上下回転型
【図８】図７の部分組図  ラチエット部正面図
【図９】図７の部分組図  ラチエット部側面図
【図１０】図７の人命防護棒（３６）回転部正面図
【図１１】立体図（オープンタイプ、着脱型）
【図１２】立体図（オープンタイプ、有事時自動態勢可能型）
ｅ  立体図  普段使用状態図
ｆ  立体図  有事時自動防護態勢図
【符号の説明】
（符号）（品名）  （状態）                                    （図面Ｎｏ．）
１  角パイプ  （ベースａ）−−−−−−−−−−−−−−−−−−１
２  蝶番−−−−−−−−−−−−−−−−−−−−−−−−−−−１
３  ビス−−−−−−−−−−−−−−−−−−−−−−−−−−−２
４  角パイプ  （ベースａ）−−−−−−−−−−−−−−−−−−１，２
５  平板−−−−−−−−−−−−−−−−−−−−−−−−−−−１，２
６  ボルト−−−−−−−−−−−−−−−−−−−−−−−−−−２
７  溶接−−−−−−−−−−−−−−−−−−−−−−−−−−−２
８  丸パイプ  （振れ止め）−−−−−−−−−−−−−−−−−−２
９  丸パイプ  （高さ決めａ）−−−−−−−−−−−−−−−−−２，４ｃ，ｄ，５
１０丸棒      （Ｕ字口）−−−−−−−−−−−−−−−−−−−２，４ｄ，６
１１丸棒      （開口Ｕ字口）−−−−−−−−−−−−−−−−−２，６
１２丸パイプ  （人命防護棒ａ）−−−−−−−−−−−−−−−−２，４ｄ，５，６
１３丸棒      （ストッパーａ）−−−−−−−−−−−−−−−−２，５，６
１４帆布      （防塵ａ）−−−−−−−−−−−−−−−−−−−２
１５平板      （（９）の天板）−−−−−−−−−−−−−−−−１
１６蝶番−−−−−−−−−−−−−−−−−−−−−−−−−−−１
１７アングル  （ベースｂ）−−−−−−−−−−−−−−−−−−６
１８丸パイプ  （人命防護枠ａ垂直）−−−−−−−−−−−−−−１
１９丸パイプ  （人命防護枠ａ水平）−−−−−−−−−−−−−−１
２０帆布      （防塵ｂ）−−−−−−−−−−−−−−−−−−−１
２１マット    （段差調整）−−−−−−−−−−−−−−−−−−１
２２丸棒      （ストッパーｂ）−−−−−−−−−−−−−−−−３ａ，ｂ
２３／        （開口部）−−−−−−−−−−−−−−−−−−−３ｂ
２４成型品    （プラスチック中栓）−−−−−−−−−−−−−−３ａ，４ｃ
２５平板      （継ぎ板）−−−−−−−−−−−−−−−−−−−５
２６平板      （ベースｃ）−−−−−−−−−−−−−−−−−−５
２７角パイプ  （ベースｄ）−−−−−−−−−−−−−−−−−−７
２８丸パイプ  （高さ決めｂ）−−−−−−−−−−−−−−−−−７
２９角パイプ  （ベースｄ）−−−−−−−−−−−−−−−−−−７
３０加工品    （ラチエットストッパー）−−−−−−−−−−−−７，８
３１加工品    （回転羽根ａ）−−−−−−−−−−−−−−−−−７，８
３２平板      （ストッパー）−−−−−−−−−−−−−−−−−７，８
３３丸パイプ  （人命防護棒ｂ回転状態）−−−−−−−−−−−−７
３４丸パイプ  （上下）（下）−−−−−−−−−−−−−−−−−７，８，１０
３５丸パイプ  （上下）（上）−−−−−−−−−−−−−−−−−７，８，１０
３６丸パイプ−−−−−−−−−−−−−−−−−−−−−−−−−８，１０
３７丸パイプ  （人命防護棒ｂ収納状態）−−−−−−−−−−−−７，８
３８加工品    （回転羽根ｂ）−−−−−−−−−−−−−−−−−７，８
３９加工品    （ラチエット）−−−−−−−−−−−−−−−−−７，８
４０丸棒      （ラチエットストッパー）−−−−−−−−−−−−８
４１加工品    （ラチエット外し）−−−−−−−−−−−−−−−８
４２手        （ラチエット外しを押す）−−−−−−−−−−−−８
４３ボルト    （ラチエット取り付け）−−−−−−−−−−−−−８
４５成型物    （プラスチック中栓）−−−−−−−−−−−−−−８
４６丸棒      （（３６）回転軸）−−−−−−−−−−−−−−−１０
４７加工品    （ベアリングケース）−−−−−−−−−−−−−−１０
４８ベアリング−−−−−−−−−−−−−−−−−−−−−−−−１０
４９人        （就寝中）−−−−−−−−−−−−１，２，５，６，７，１１，１２
５０平板      （ベースｅ）−−−−−−−−−−−−−−−−−  １１
５１丸パイプ  （高さ決めｃ）−−−−−−−−−−−−−−−−−１１
５２平板      （（５０）取り付け用）−−−−−−−−−−−−−１１
５３人命防護枠−−−−−−−−−−−−−−−−−−−−−−−−１１
５４丸棒      （開口Ｕ字口）−−−−−−−−−−−−−−−−−１１
５５ベース−−−−−−−−−−−−−−−−−−−−−−−−−−１２
５６高さ決めパイプ−−−−−−−−−−−−−−−−−−−−−−１２
５７モーターａ−−−−−−−−−−−−−−−−−−−−−−−−１２
５８人命防護具−−−−−−−−−−−−−−−−−−−−−−−−１２
５９人命防護具態勢−−−−−−−−−−−−−−−−−−−−−−１２
６０ワイヤー−−−−−−−−−−−−−−−−−−−−−−−−−１２
６１ラチエットストッパー−−−−−−−−−−−−−−−−−−−１２
６２上げ下げ、下棒−−−−−−−−−−−−−−−−−−−−−−１２
６３上げ下げ、上棒−−−−−−−−−−−−−−−−−−−−−−１２
６４倒れ防止穴−−−−−−−−−−−−−−−−−−−−−−−−１２
６５ストッパー−−−−−−−−−−−−−−−−−−−−−−−−１２
６６モーターｂ−−−−−−−−−−−−−−−−−−−−−−−−１２
６７（１０）のストッパーが（９）に入った状態−−−−−−−−−１２
６８モーターｃ−−−−−−−−−−−−−−−−−−−−−−−−１２
６９ワイヤー−−−−−−−−−−−−−−−−−−−−−−−−−１２


【手続補正２】
【補正対象書類名】図面
【補正対象項目名】全図
【補正方法】変更
【補正の内容】
【図１】
2004305656.tif 000018
【図２】
2004305656.tif 000019
【図３】
2004305656.tif 000020
【図４】
2004305656.tif 000021
【図５】
2004305656.tif 000022
【図６】
2004305656.tif 000023
【図７】
2004305656.tif 000024
【図８】
2004305656.tif 000025
【図９】
2004305656.tif 000026
【図１０】
2004305656.tif 000027
【図１１】
2004305656.tif 000028
【図１２】
2004305656.tif 000029